(57)【要約】      （修正有）【課題】仮設足場の対応する現場等を判別可能として管理を容易にするための管理情報が表示された仮設足場用筋交いのくさび受け部材を提供する。【解決手段】仮設足場用筋交いの足場支柱１に設けられ、足場支柱１，１の間に斜材や水平材を架設するための連結部材が取り外し可能に係着されるくさび受け本体２１の外側面２５に文字または図柄からなる管理記号４０が複数刻印される表示面３０が形成され、表示面３０は、複数の管理記号４０のうち少なくとも１以上の管理記号４０の削除によって残された少なくとも１以上の残留記号の組み合わせで構成される管理情報が表示される管理用表示部を有する。【選択図】図２
0003191622.tif 000002
【実用新案登録請求の範囲】
【請求項１】
仮設足場用筋交いの足場支柱に設けられ、前記足場支柱の間に斜材や水平材を架設するための連結部材が取り外し可能に係着されるくさび受け本体の外側面に文字または図柄からなる管理記号が複数刻印される表示面が形成され、
前記表示面は、前記複数の管理記号のうち少なくとも１以上の管理記号の削除によって残された少なくとも１以上の残留記号の組み合わせで構成される管理情報が表示される管理用表示部を有することを特徴とする仮設足場用筋交いのくさび受け部材。
【請求項２】
前記管理用表示部は、前記管理記号が少なくとも３以上列状に表示可能な列状表示領域を有し、前記３以上の管理記号のうち２以上の管理記号が削除されて前記管理情報を構成する請求項１に記載の仮設足場用筋交いのくさび受け部材。
【請求項３】
前記列状表示領域は、前記管理記号が少なくとも３以上列状に表示可能な第１列状表示領域と、該第１列状表示領域とは異なる位置に設けられ前記第１列状表示領域に表示された管理記号と異なる管理記号が少なくとも３以上列状に表示可能な第２列状表示領域とからなり、
前記第１列状表示領域の前記３以上の管理記号のうち２以上の管理記号の削除によって残された少なくとも１以上の第１残留記号と、前記第２列状表示領域の前記３以上の管理記号のうち２以上の管理記号の削除によって残された少なくとも１以上の第２残留記号との組み合わせで前記管理情報が構成されている請求項２に記載の仮設足場用筋交いのくさび受け部材。
【請求項４】
前記表示面の前記管理用表示部と異なる位置に、前記管理記号で構成された製造時期情報が表示される製造期表示部と、前記管理記号で構成された使用者情報が表示される使用者表示部と、前記管理記号で構成された用途情報が表示される用途表示部とのうち少なくとも１つを有する請求項１ないし３のいずれか１項に記載の仮設足場用筋交いのくさび受け部材。
【考案の詳細な説明】
【技術分野】
【０００１】
本考案は、仮設足場用筋交いのくさび受け部材に関する。
【背景技術】
【０００２】
一般に、建築物等の工事等に際しては、建築物の外周に仮設足場が設置される。この仮設足場は、複数本の支柱が所定間隔で配置され、各支柱間には足場板が架設されて複数階層の足場が形成される。このような仮設足場の架設作業にあっては、上方への足場の継ぎ足し作業の安全対策として、足場板を架設させる前に、斜材、水平材、または垂直材等の足場材を手すりとして先行して配置される。
【０００３】
足場材を配置する場合、例えば、仮設足場用筋交いが足場支柱のくさび受け（ホルダー）に対して取り外し可能に係着される。仮設足場用筋交いは、足場支柱の間に傾斜させ交差させて配設される２本の斜材と、足場支柱の間に架設される水平材と、斜材の上端部及び前記水平材に取り付けられて足場支柱の上側くさび受けに対して取り外し可能に係着される上側連結部と、斜材の下端部に取り付けられて足場支柱の下側くさび受けに対して取り外し可能に係着される下側連結部とを備える（例えば、特許文献１参照。）。
【０００４】
ところで、この種の仮設足場は、設置される建設現場等に応じて使用される機材の数等が異なるため、対象の現場ごとに必要数の機材を仕分けする等により管理されている。しかしながら、仕分けされた機材は一見しただけでは対応する現場等がわからず、持ち出し時等で不必要に手間取ることがある。また、設置された現場から回収された仮設足場の機材が置き忘れや盗難等で紛失した場合、一度保管してしまうと、どの現場で紛失したか等がわからなくなってしまう。
【０００５】
そこで本考案者は、仮設足場の機材を一見しただけで対応する現場等が判別可能となるように、管理を容易にするための管理情報が表示された機材、特に、足場支柱に設けられる仮設足場用筋交いのためのくさび受け部材を考案するに至った。
【先行技術文献】
【特許文献】
【０００６】
【特許文献１】特開２０１２−８７５９６号公報
【考案の概要】
【考案が解決しようとする課題】
【０００７】
本考案は前記の点に鑑みなされたものであり、仮設足場の対応する現場等を判別可能として管理を容易にするための管理情報が表示された仮設足場用筋交いのくさび受け部材を提供するものである。
【課題を解決するための手段】
【０００８】
すなわち、請求項１の考案は、仮設足場用筋交いの足場支柱に設けられ、前記足場支柱の間に斜材や水平材を架設するための連結部材が取り外し可能に係着されるくさび受け本体の外側面に文字または図柄からなる管理記号が複数刻印される表示面が形成され、前記表示面は、前記複数の管理記号のうち少なくとも１以上の管理記号の削除によって残された少なくとも１以上の残留記号の組み合わせで構成される管理情報が表示される管理用表示部を有することを特徴とする仮設足場用筋交いのくさび受け部材に係る。
【０００９】
請求項２の考案は、前記管理用表示部は、前記管理記号が少なくとも３以上列状に表示可能な列状表示領域を有し、前記３以上の管理記号のうち２以上の管理記号が削除されて前記管理情報を構成する請求項１に記載の仮設足場用筋交いのくさび受け部材に係る。
【００１０】
請求項３の考案は、前記列状表示領域は、前記管理記号が少なくとも３以上列状に表示可能な第１列状表示領域と、該第１列状表示領域とは異なる位置に設けられ前記第１列状表示領域に表示された管理記号と異なる管理記号が少なくとも３以上列状に表示可能な第２列状表示領域とからなり、前記第１列状表示領域の前記３以上の管理記号のうち２以上の管理記号の削除によって残された少なくとも１以上の第１残留記号と、前記第２列状表示領域の前記３以上の管理記号のうち２以上の管理記号の削除によって残された少なくとも１以上の第２残留記号との組み合わせで前記管理情報が構成されている請求項２に記載の仮設足場用筋交いのくさび受け部材に係る。
【００１１】
請求項４の考案は、前記表示面の前記管理用表示部と異なる位置に、前記管理記号で構成された製造時期情報が表示される製造期表示部と、前記管理記号で構成された使用者情報が表示される使用者表示部と、前記管理記号で構成された用途情報が表示される用途表示部とのうち少なくとも１つを有する請求項１ないし３のいずれか１項に記載の仮設足場用筋交いのくさび受け部材に係る。
【考案の効果】
【００１２】
請求項１の考案に係る仮設足場用筋交いのくさび受け部材は、仮設足場用筋交いの足場支柱に設けられ、前記足場支柱の間に斜材や水平材を架設するための連結部材が取り外し可能に係着されるくさび受け本体の外側面に文字または図柄からなる管理記号が複数刻印される表示面が形成され、前記表示面は、前記複数の管理記号のうち少なくとも１以上の管理記号の削除によって残された少なくとも１以上の残留記号の組み合わせで構成される管理情報が表示される管理用表示部を有するため、仮設足場の対応する建築現場等を判別することが可能となり、足場材の管理が容易となる。
【００１３】
請求項２の考案は、請求項１において、前記管理用表示部は、前記管理記号が少なくとも３以上列状に表示可能な列状表示領域を有し、前記３以上の管理記号のうち２以上の管理記号が削除されて前記管理情報を構成するため、管理情報の識別が容易となるとともに、管理情報の改ざんを抑制することができる。
【００１４】
請求項３の考案は、請求項２において、前記列状表示領域は、前記管理記号が少なくとも３以上列状に表示可能な第１列状表示領域と、該第１列状表示領域とは異なる位置に設けられ前記第１列状表示領域に表示された管理記号と異なる管理記号が少なくとも３以上列状に表示可能な第２列状表示領域とからなり、前記第１列状表示領域の前記３以上の管理記号のうち２以上の管理記号の削除によって残された少なくとも１以上の第１残留記号と、前記第２列状表示領域の前記３以上の管理記号のうち２以上の管理記号の削除によって残された少なくとも１以上の第２残留記号との組み合わせで前記管理情報が構成されているため、より詳細な情報を効率よく構成することが可能となる。
【００１５】
請求項４の考案は、請求項１ないし３において、前記表示面の前記管理用表示部と異なる位置に、前記管理記号で構成された製造時期情報が表示される製造期表示部と、前記管理記号で構成された使用者情報が表示される使用者表示部と、前記管理記号で構成された用途情報が表示される用途表示部とのうち少なくとも１つを有するため、多様な情報を簡易に表示することができて、より的確に管理することが可能となる。
【図面の簡単な説明】
【００１６】
【図１】仮設足場用筋交いの正面図である。
【図２】本考案の一実施例に係る仮設足場用筋交いのくさび受け部材の斜視図である。
【図３】図２のくさび受けの上面図である。
【図４】図２のくさび受けの表示面の正面図である。
【図５】足場支柱に着脱可能に構成されたくさび受け部材の斜視図である。
【図６】図４のくさび受け部材の足場支柱への装着状態を表した斜視図である。
【考案を実施するための形態】
【００１７】
図１に示す仮設足場用筋交い１０は、複数の受け部材２０が設けられた足場支柱１，１の間に傾斜させ交差させて配設される２本の斜材１１，１１と、足場支柱１，１の間に架設される水平材１２と、斜材１１，１１の上端部１１ａ及び水平材１２の端部１２ａに取り付けられて足場支柱１，１の上側くさび受け部材２０ａに対して取り外し可能に係着される上側連結部１３と、斜材の下端部１１ｂに取り付けられて足場支柱１，１の下側くさび受け部材２０ｂに対して取り外し可能に係着される下側連結部１４とを備える。
【００１８】
図示の例において、斜材１１及び水平材１２は従来公知の棒状部材からなる足場材が用いられている。また、上側連結部１３及び下側連結部１４は、くさび受け部材２０への係着時に固定状態を強固に保持することが可能な構成であれば特に限定されるものではなく、固定機能を備えた従来公知の連結部材が用いられる。なお、上側くさび受け部材２０ａと下側くさび受け部材２０ｂとは同形状であり、本明細書においては説明の便宜上、足場支柱１のくさび受け部材を上下で区別している。
【００１９】
くさび受け部材２０は、図１〜３に示すように、上面視略コ字状のくさび受け本体２１を有し、足場支柱１の周囲に９０°ずつ４箇所配置され、これらを１組として足場支柱１の軸方向に適宜の間隔で複数設けられている。このくさび受け部材２０では、図３に示すように、くさび受け本体２１の内側面２２と、足場支柱１の外周面１ａとで、上側連結部材１３または下側連結部材１４が挿入可能なポケット部２３が形成される。また、くさび受け本体２１は、足場支柱１の周囲にそれぞれ同一高さで配置されるように構成してもよいが（図示せず）、実施例では隣接するくさび受け本体２１，２１同士が段違い状に配置されている。なお、図示のくさび受け本体２１は、足場支柱１の外周面１ａに溶接等により固着されている。
【００２０】
くさび受け部材２０では、図２〜４に示すように、くさび受け本体２１の外側面２５に、管理記号４０が複数刻印される表示面３０が形成されている。この表示部３０は、図４に示すように、管理記号４０で構成される管理情報５０が表示される管理用表示部３１を有する。なお、管理記号４０とは、漢字，ひらがな，カタカナ，数字，アルファベット等の適宜の文字、図形，模様，ロゴ等の適宜の図柄等で構成される記号である。
【００２１】
管理情報５０は、管理用表示部３１に表示される複数の管理記号４０のうち少なくとも１以上の管理記号４０の削除（削除記号４２）によって残された少なくとも１以上の残留記号４１の組み合わせで構成される記号の集合体である。この管理情報５０では、残留記号４１の組み合わせで、仮設足場が設置される建設現場等を識別可能としている。残留記号４１の組み合わせの種類は特に限定されるものではなく、使用される記号の種類や数等によって適宜に決定される。また、管理情報５０は、残留記号４１の組み合わせで意味のある文字列とする必要はなく、組み合わせ方の相違によって使用者が識別可能であれば構わない。なお、管理記号４０の削除（削除記号４２）は、塗り潰しや削り取り等により対象の管理記号４０が判別困難または判別不能な状態とすることである。特に、削り取りによって管理記号４０を削除すれば、削除記号４２の削除状態を解除するというようないたずら等による管理情報５０の改ざんを抑制することができる。
【００２２】
管理用表示部３１は、図４に示すように、管理記号４０が少なくとも３以上列状に表示可能な列状表示領域３２を有している。管理情報５０は、この列状表示領域３２に表示される３以上の管理記号４０のうち２以上の管理記号４０が削除されて構成される。例えば、列状表示領域３２に表示される管理記号が「１」「２」「３」「４」「５」「６」であり、削除記号４２が「３」「６」である場合、管理情報５０は、「１」「２」「４」「５」の４つの残留記号４１によって構成される。このように、管理記号４０を列状に表示すれば、複数の管理記号４０が整然と並べられて見やすくなり、管理情報５０の識別が容易となる。また、削除する管理記号（削除記号４２）を２以上とすることにより、管理情報５０の改ざんをより抑制することができる。
【００２３】
実施例の列状表示領域３２は、図４に示すように、管理記号４０が少なくとも３以上列状に表示可能な第１列状表示領域３２ａと、該第１列状表示領域３２ａとは異なる位置に設けられ第１列状表示領域３２ａに表示された管理記号４０と異なる管理記号４０が少なくとも３以上列状に表示可能な第２列状表示領域３２ｂとからなる。管理情報５０は、第１列状表示領域３２ａに表示される３以上の管理記号４０のうち２以上の管理記号４０の削除によって残された少なくとも１以上の第１残留記号４１ａと、第２列状表示領域３２ｂの３以上の管理記号４０のうち２以上の管理記号４０の削除によって残された少なくとも１以上の第２残留記号４１ｂとの組み合わせで構成される。
【００２４】
例えば、図４（ｂ）に示すように、第１列状表示領域３２ａに表示される管理記号が「１」「２」「３」「４」「５」「６」で削除記号４２が「３」「６」、第２列状表示領域３２ｂに表示される管理記号が「Ａ」「Ｂ」「Ｃ」「Ｄ」「Ｅ」「Ｆ」で削除記号４２が「Ｂ」「Ｄ」である場合、管理情報５０は、「１」「２」「４」「５」の４つの第１残留記号４１ａと「Ａ」「Ｃ」「Ｅ」「Ｆ」の４つの第２残留記号４１ｂとによって構成される。ここで、管理情報５０は、第１残留記号４１ａと第２残留記号４１ｂの双方の組み合わせで単一の情報を表すようにすることも可能であるが、第１残留記号４１ａの組み合わせによる第１管理情報５１と、第２残留記号４１ｂの組み合わせによる第１管理情報５１と異なる第２管理情報５２との個別の情報を表すようにすることも可能である。このように、第１列状表示領域３２ａと第２列状表示領域３２ｂとに表示される第１残留記号４１ａ及び第２残留記号４１ｂの組み合わせで管理情報５０を構成すれば、より詳細な情報を効率よく構成することが可能となる。
【００２５】
また、表示面３０には、必要に応じて、管理用表示部３１と異なる位置に、製造期表示部３６と、使用者表示部３７と、用途表示部３８とのうち少なくとも１つが設けられる。例えば、製造期表示部３６は、管理記号４０で構成された足場材が製造された時期（年月日等）を表す製造時期情報５６が表示される。図示の例では、製造年を表す「１４」と、上半期か下半期を表す横線（図ではアンダーバー）とによって、製造期が２０１４年の下半期と表示されている。使用者表示部３７は、管理記号４０で構成された建設業者等の名称（社名等）を表す使用者情報５７が表示される。用途表示部３８は、管理記号４０で構成された足場材の用途（図では仮設足場を示す「Ｋ」）を表す用途情報５８が表示される。このように、製造期表示部３６と、使用者表示部３７と、用途表示部３８とのうち少なくとも１つが設けられることにより、多様な情報を簡易に表示することができて、より的確に管理することが可能となる。
【００２６】
このように管理記号４０が刻印された表示面３０は、足場支柱１の周囲に設けられた各くさび受け本体２１の外側面２５にそれぞれ形成してもよい。これにより、足場支柱１をどの向きで使用しても表示面３０を正面側に配置することが可能となる。なお、各くさび受け本体２１に管理記号４０が刻印された表示面３０を形成した場合、管理情報５０は、各くさび受け本体２１の表示面３０のうちいずれか１つの表示面３０（例えば、設置時に正面側となる表示面３０）に刻印された複数の管理記号４０の一部を削除（削除記号４２）して構成すればよい。いずれか１つの表示面３０にのみ管理情報５０を形成するようにすれば、管理記号４０の削除作業を最小限で済ますことができ、作業効率がよい。
【００２７】
以上図示し説明したように、本考案のくさび受け部材２０は、外側面２５に文字または図柄からなる管理記号４０が複数刻印される表示面３０が形成され、表示面３０は、複数の管理記号４０のうち少なくとも１以上の管理記号４０の削除によって残された少なくとも１以上の残留記号４１の組み合わせで構成される管理情報５０が表示される管理用表示部３１を有するため、管理情報５０を見ることで仮設足場の対応する建築現場等を判別することが可能となり、足場材の管理が容易となる。
【００２８】
また、管理用表示部３１は、管理記号４０が少なくとも３以上列状に表示可能な列状表示領域３２を有し、３以上の管理記号４０のうち２以上の管理記号４０が削除されて管理情報５０を構成するため、複数の管理記号４０が整然と並べられて見やすくなって管理情報５０の識別が容易となるとともに、管理記号（削除記号４２）を２以上削除することで管理情報５０の改ざんを抑制することができる。
【００２９】
さらに、列状表示領域３２は、管理記号４０が少なくとも３以上列状に表示可能な第１列状表示領域３２ａと、該第１列状表示領域３２ａとは異なる位置に設けられ第１列状表示領域３２ａに表示された管理記号４０と異なる管理記号４０が少なくとも３以上列状に表示可能な第２列状表示領域３２ｂとからなり、第１列状表示領域３２ａの３以上の管理記号４０のうち２以上の管理記号４０の削除によって残された少なくとも１以上の第１残留記号４１ａと、第２列状表示領域３２ｂの３以上の管理記号４０のうち２以上の管理記号４０の削除によって残された少なくとも１以上の第２残留記号４１ｂとの組み合わせで管理情報５０が構成されているため、第１残留記号４１ａと第２残留記号４１ｂの双方の組み合わせで単一の情報を表したり、第１残留記号４１ａの組み合わせによる第１管理情報５１と第２残留記号４１ｂの組み合わせによる第１管理情報５１と異なる第２管理情報５２との個別の情報を表したりすることが可能となり、より詳細な情報を効率よく構成することが可能となる。
【００３０】
加えて、表示面３０の管理用表示部３１と異なる位置に、管理記号４０で構成された製造時期情報が表示される製造期表示部３６と、管理記号４０で構成された使用者情報が表示される使用者表示部３７と、管理記号４０で構成された用途情報が表示される用途表示部３８とのうち少なくとも１つを有するため、多様な情報を簡易に表示することができて、より的確に管理することが可能となる。
【００３１】
なお、本考案の仮設足場用筋交いのくさび受け部材は、前述の実施例のみに限定されるものではなく、考案の趣旨を逸脱しない範囲において構成の一部を適宜に変更して実施することができる。例えば、実施例ではくさび受け本体を足場支柱の外周面に溶接等によって固着させたが、これに限定されるものではなく、図５，６に示すように、足場支柱１に対して水平材等の足場材が架設される高さを調節可能とするために、くさび受け部材２０Ａの高さを変更可能なように着脱自在に構成することもできる。
【００３２】
くさび受け部材２０Ａは、足場支柱１に挿通可能な円筒体６０を有し、該円筒体６０の外周部６１に溶接等によりくさび受け本体２１が取り付けられて構成される。円筒体６０は、足場支柱１に形成された貫通孔２と同軸となるように形成された固定穴部６２を有し、貫通孔２とともに固定穴部６２に一体に挿通可能な固定部材６５によって足場支柱１に一体に固定される。
【００３３】
足場支柱１の貫通孔２は軸方向の同一線上に複数形成され、適宜選択した貫通孔２に対応してくさび受け部材２０Ａの固定穴部６２を合わせて固定することにより、くさび受け本体２１を所望する高さ位置に選択的に配置することが可能となる。
【００３４】
また、固定穴部６２はくさび受け本体２１と円筒体６０の軸方向の同一線上の下方に形成され、くさび受け本体２１が円筒体６０の周囲に９０°ずつ４箇所配置される場合には、各くさび受け本体２１の下方にそれぞれ形成される。そのため、くさび受け部材２０Ａの足場支柱１への固定に際して、くさび受け本体２１の位置が回転することなく配置され、固定する高さ毎に足場支柱１を回転させてくさび受け本体２１の位置を調節するといった煩雑な作業を要しない。そして、足場支柱１の貫通孔２が同一線上に配置されていることから、複数のくさび受け部材２０Ａを固定する場合でもくさび受け本体２１の向きが一定に固定されてズレが生じない。
【００３５】
固定部材６５は、固定穴部６２に挿通して円筒体６０を足場支柱１に対して固定可能であれば、形状等は特に限定されるものではなく、例えば、挿通時に所定箇所で止まるようなＬ字状の棒状体、同様に所定箇所で止まるような固定穴部６２の直径より大径の頭部を有する棒状体等、適宜である。図示の固定部材６５は、固定穴部６２に挿通可能な棒状部６６と、棒状部６６と一体に形成され円筒体６０に外接する半径を持つ円弧または半円形状に成形された円弧状把持部６７とを有している。この固定部材６５では、円弧状把持部６７が円筒体６０の外周部６１に当接して把持した状態となるため、挿通した棒状部６６の抜けを防止することができる。
【符号の説明】
【００３６】
１      足場支柱
１０    仮設足場用筋交い
１１    斜材
１２    水平材
１３    上側連結部
１４    下側連結部
２０    くさび受け部材
２１    くさび受け本体
２５    くさび受け本体の外側面
３０    表示面
３１    管理用表示部
３２    列状表示領域
３２ａ  第１列状表示領域
３２ｂ  第２列状表示領域
３６    製造期表示部
３７    使用者表示部
３８    用途表示部
４０    管理記号
４１    残留記号
４１ａ  第１残留記号
４１ｂ  第２残留記号
４２    削除記号
５０    管理情報
５６    製造期情報
５７    使用者情報
５８    用途情報
【図１】
0003191622.tif 000003
【図２】
0003191622.tif 000004
【図３】
0003191622.tif 000005
【図４】
0003191622.tif 000006
【図５】
0003191622.tif 000007
【図６】
0003191622.tif 000008